(57)【特許請求の範囲】
【請求項１】
ポンプに連結されたステムの先端に取り付けられると共に前記ポンプが吸い上げた内容液を上方に導く吸上路（９）を備えた押圧ヘッド部（２）と、該押圧ヘッド部（２）の側面に突出形成され且つ前記吸上路（９）に対して略水平に連通されて前記内容液を水平方向に導く流出路（１０）及び前記内溶液を外部に排出する吐出口（１１）を備えたノズル筒（５）と、前記流出路（１０）に連通されて前記内溶液を外部に導く吐出カバー（７）と、該吐出カバー（７）を前記ノズル筒（５）に対して回動可能に連結するヒンジ（６）と、を有するノズルヘッドにおいて、
前記ヒンジ（６）を中心に前記吐出カバー（７）を回動させて前記ノズル筒（５）の先端である先筒部（８）に組み付けることにより、前記先筒部（８）と前記吐出カバー（７）との間に、前記流出路（１０）の向きを下向きに変えて前記吐出口（１１）に導く変更案内路（１４）と、前記変更案内路（１４）を通過する内溶液を整流する整流板（１６）とが形成されると共に、該整流板（１６）が、前記変更案内路（１４）を形成する、一方の先筒部（８）に設けられた第１整流片（１６ａ）と、他方の吐出カバー（７）に設けられた第２整流片（１６ｂ）とが組み合わされて形成されることを特徴とするノズルヘッド。
【請求項２】
整流板（１６）を、吐出口（１１）のみに配置した第１整流片（１６ａ）で構成した請求項１記載のノズルヘッド。
【請求項３】
整流板（１６）を十字形状に配置した請求項１又は２記載のノズルヘッド。
【請求項４】
整流板（１６）を放射状に配置した請求項１又は２記載のノズルヘッド。
【請求項５】
先筒部（８）の両外側面（８Ａ）と吐出カバー（７）の両内側面（７Ａ１）との一方に形成された第１係止凸部（１２ａ）及び他方に形成された第１係止凹部（１２ｂ）とからなり、前記第１係止凸部（１２ａ）と前記第１係止凹部（１２ｂ）とがアンダーカット結合する第１係止部（１２）を有する請求項１乃至４のいずれか一項に記載のノズルヘッド。
【請求項６】
先筒部（８）正面（８Ｂ）の下顎部（８ａ）に突設された先端部と吐出カバー（７）前面（７Ｂ）の下部との一方に形成された第２係止凸部（１３ａ）及び他方に形成された第２係止凹部（１３ｂ）とからなり、前記第２係止凸部（１３ａ）と前記第２係止凹部（１３ｂ）とが互いに係止し合う第２係止部（１３）とを有する請求項１乃至５のいずれか一項に記載のノズルヘッド。
【請求項７】
第２係止凹部（１３ｂ）が、吐出カバー（７）の前面（７Ｂ）を貫通する貫通孔（７ｂ）で形成されており、前記貫通孔（７ｂ）の上面に、下顎部（８ａ）先端で且つ第２係止凸部（１３ａ）の上部分に面対向する漏れ防止片（８ａ１）を形成した請求項６記載のノズルヘッド。
【請求項８】
吐出カバー（７）をノズル筒（５）の先端に組み付けた状態において、前記吐出カバー（７）の内壁天面（７ｃ）と前記ノズル筒（５）の流出路天面（１０ｂ）との間に前記内壁天面（７ｃ）側を上方に広げる段差（１５）を形成した請求項１乃至７のいずれか一項に記載のノズルヘッド。
【請求項９】
内容液が、液体口腔用組成物である請求項１乃至８のいずれか一項に記載のノズルヘッド。
【発明の詳細な説明】
【技術分野】
【０００１】
本発明は、容器内に充填された口内洗浄剤（液体口腔用組成物）や消毒用アルコールなど粘性が低く固化しにくい内容液を注出する手動押下げ注出ポンプに使用されるノズルヘッドに関する。
【背景技術】
【０００２】
化粧料や整髪料、シャンプーあるいはリンス等を入れる容器としては、ハンディータイプや据え置きタイプに拘わらずポンプを装着したものが多数市販されており、容器の外に設けられたノズルヘッドを押し下げることにより、ノズルの先端から容器内の内容液を衛生的、かつ効率的に注出することができるようになっている。このようなノズルヘッドに関する先行技術としては、例えば以下の特許文献１などが存在している。
【０００３】
特許文献１に記載のノズルヘッドは、下方に開口する吐出口部とノズル基体とからなる吐出ノズルと、押圧ヘッド部とを具備し、吐出口部は、ノズル基体の先端面上端にヒンジを介して連設されており、ヒンジに近接して吐出口部の上面とノズル基体の上面に相互に係合し合う係止部を設け、吐出口部を、ヒンジを中心に回動させ、それぞれの係止部を係合させることによって、容器内の内溶液を吐出口部から吐出するようにしたものである。
【先行技術文献】
【特許文献】
【０００４】
【特許文献１】特開２００５−２９６９２５号公報
【発明の概要】
【発明が解決しようとする課題】
【０００５】
特許文献１に記載されたノズルヘッドでは、吐出口部が回動自在に装着されると共に、吐出口部の上面とノズル基体の上面に相互に係合し合う係止部が係止解除可能に構成されている。そして、吐出口部を回動させて係合部を係止状態に設定することにより、吐出口部の吐出方向を下向きに設定することができ、吐出終了後は、係止部の係止状態を解除し吐出口部を逆方向に回動させて流出口を露出させることにより、吐出口部及びノズル基体の流路内に残って付着している内容液を取り除いて、吐出ノズルの掃除をすることができるようになっている。このため、例えばボディソープ、ハンドソープなど固化しやすい内容液でも、このノズルヘッドを利用して吐出させることができるという優れた効果を有する。
【０００６】
このようなノズルヘッドにおいて、内溶液の対象が口内洗浄剤（液体口腔用組成物）や消毒用のアルコールなど粘性が低く固化しにくい液体である場合には、ノズルヘッドを大きな力で押し下げると、内溶液が吐出口部から勢い良く吐出する。
しかしながら、内溶液がノズル基体の流路を通過する際に、流路の中央部を通過する内溶液と側縁部を通過する内溶液との間に密度差が生じて内溶液が渦巻き状の旋回流となった状態で、あるいは吐出方向が急激に下向きに変更させられることによって内溶液の密度に偏りが生じた状態で吐出口部に到達することがある。このような状態の内溶液は、吐出口部から吐出する際に周囲に飛散し、例えば操作者の目などに入って不測の事故を引き起こす虞れがあった。
【０００７】
本発明は、上記した従来技術における問題点を解消すべく、ノズルヘッドを押し下げたときに、ノズルヘッド先端の吐出口から勢いよく吐出する内溶液の飛散を防止することで安全性を高めるようにした手動押下げ注出ポンプ用のノズルヘッドを創出することを課題とする。
【課題を解決するための手段】
【０００８】
上記課題を解決するための手段のうち、本発明の主たる手段は、
ポンプに連結されたステムの先端に取り付けられると共にポンプが吸い上げた内容液を上方に導く吸上路を備えた押圧ヘッド部と、押圧ヘッド部の側面に突出形成され且つ吸上路に対して略水平に連通されて内容液を水平方向に導く流出路及び内溶液を外部に排出する吐出口とを備えたノズル筒と、流出路に連通されて内溶液を外部に導く吐出カバーと、吐出カバーをノズル筒に対して回動可能に連結するヒンジと、を有するノズルヘッドにおいて、
ヒンジを中心に吐出カバーを回動させてノズル筒の先端である先筒部に組み付けることにより、先筒部と吐出カバーとの間に、流出路の向きを下向きに変えて吐出口に導く変更案内路と、この変更案内路を通過する内溶液を整流する整流板とが形成されると共に、この整流板が、変更案内路を形成する、一方の先筒部に設けられた第１整流片と、他方の吐出カバーに設けられた第２整流片とが組み合わされて形成されることを特徴とする、というものである。
【０００９】
上記手段を備えたノズルヘッドでは、内溶液は、ノズル筒内に設けられた略水平の流出路を通過後、流出方向を略９０度下方に変える変更案内路を通じて吐出口から外部に排出される構造であるが、変更案内路内と吐出口の双方、または少なくとも吐出口に整流板を配置することにより、かかる整流板の整流作用によって、内溶液の旋回流又は偏りの解消を達成する。
【００１１】
また、吐出カバーをノズル筒の先端に組み付けることにより、ノズル筒の先端と吐出カバーとの間に形成される変更案内路内への整流板の設置を達成する。
【００１２】
また本発明の他の手段は、請求項１記載のノズルヘッドにおいて、整流板を、吐出口のみに配置した第１整流片で構成した、と云うものである。
【００１３】
上記手段においても、吐出カバーをノズル筒の先端に組み付けると、ノズル筒の先端と吐出カバーとの間に形成される変更案内路の先端である吐出口への整流板の設置が達成される。
【００１４】
また本発明の他の手段は、請求項１又は２記載のノズルヘッドにおいて、整流板を十字形状に配置した、と云うものである。
【００１５】
上記手段では、吐出口から排出される内溶液の旋回又は偏りを解消して均一な流れを達成する。
【００１６】
また本発明の他の手段は、請求項１又は２記載のノズルヘッドにおいて、整流板を放射状に配置した、と云うものである。
【００１７】
上記手段では、吐出口から排出される内溶液の更なる旋回又は偏りを解消し、より均一性に優れた内溶液の排出を達成する。
【００１８】
また本発明の他の手段は、請求項１乃至４のいずれか一項に記載のノズルヘッドにおいて、先筒部の両外側面と吐出カバーの両内側面との一方に形成された第１係止凸部及び他方に形成された第１係止凹部とからなり、第１係止凸部と第１係止凹部とがアンダーカット結合する第１係止部を有する、と云うものである。
【００１９】
上記手段では、第１係止部を構成する第１係止凸部と第１係止凹部とがアンダーカット結合することにより、第１係止部が分離不能となり、先筒部を覆うように組み付いた吐出カバーが逆方向に回動して再び先筒部が露出されることがなくなる。
【００２０】
また本発明の他の手段は、請求項１乃至５のいずれか一項に記載のノズルヘッドにおいて、先筒部正面の下顎部に突設された先端部と吐出カバー前面の下部との一方に形成された第２係止凸部及び他方に形成された第２係止凹部とからなり、第２係止凸部と第２係止凹部とが互いに係止し合う第２係止部とを有する、と云うものである。
【００２１】
上記手段では、第２係止部を構成する第２係止凸部と第２係止凹部とが係合することにより、ノズル筒の先端に対する吐出カバーの位置決めを達成し、先筒部と吐出カバーとが対向する部分に、内溶液を流出路から吐出口に導く案内路と整流板を確実且つ高精度に形成する。
【００２２】
また本発明の他の手段は、請求項６記載のノズルヘッドにおいて、第２係止凹部が、吐出カバーの前面を貫通する貫通孔で形成されており、この貫通孔の上面に、下顎部先端で且つ第２係止凸部の上部分に面対向する漏れ防止片を形成した、と云うものである。
【００２３】
上記手段では、漏れ防止片を、下顎部先端で且つ第２係止凸部の上部分に面対向させることで、案内路を通過する内溶液の貫通孔を介しての液漏れ防止を達成する。
【００２４】
また本発明の他の手段は、請求項１乃至７のいずれか一項に記載のノズルヘッドにおいて、吐出カバーをノズル筒の先端に組み付けた状態において、吐出カバーの内壁天面とノズル筒の流出路天面との間に内壁天面側を上方に広げる段差を形成した、と云うものである。
【００２５】
上記手段では、下流側である案内路の入り口に相当する吐出カバーの内壁天面を、上流側の出口に相当する流出路の開口端よりも広げることにより、流出路から案内路に流出する際における内容液の円滑な流れを達成する。
【００２６】
また本発明の他の手段は、請求項１乃至８のいずれか一項に記載のノズルヘッドにおいて、内容液が、液体口腔用組成物である、と云うものである。
【発明の効果】
【００２７】
本発明は、上記した手段となっているので、以下に示す効果を奏する。
本発明の主たる構成においては、内溶液に旋廻流や偏りが生じていても、内溶液は整流板の整流作用によって下方に向かって真っ直ぐ排出されるようになるため、従来のような吐出口で飛散した内溶液が操作者の目などに入るという事故を防止することができる。
【００２８】
また変更案内路を形成する、一方の先筒部に第１整流片が設けられ、他方の吐出カバーに第２整流片が設けられており、第１整流片と第２整流片とが組み合わされて整流板が形成される構成では、ノズル筒に対する流出路の形成を容易に行うことができる。上記手段を採用しない場合、すなわちノズル筒の先端に略９０度曲がった変更案内路が一体形成されるノズルヘッドの射出成形では、流出路成形用ピンを無理矢理抜き取る作業（無理抜き作業）が困難となるため、変更案内路への整流板の形成とノズル筒への流出路の形成を一緒に行うことは不可能であるが、上記手段を採用することにより、吐出カバーは先端部が開放されたノズル筒に対してヒンジを介して連結された状態にあるので、無理抜き作業が不用となり、通常のスライドによる抜き作業で形成することが可能となるので、ノズル筒への流出路の形成を容易且つ確実に行うことが可能となる。
【００２９】
また請求項２に記載の、整流板を吐出口のみに配置した第１整流片で構成した構成では、ノズルヘッドの外部に吐出口を通じては排出される内容液の全てを整流することができ、吐出口での内溶液の飛散を防止できる。
【００３０】
また請求項３に記載の、整流板を十字形状に配置した構成では、旋回流消又は密度の偏りを解消して均一性の高い内溶液とすることが可能となり、吐出口での内溶液の飛散防止効果を向上させることできる。
【００３１】
また請求項４に記載の、整流板を放射状に配置した構成では、更なる旋回流消又は密度の偏りを解消して均一性の高い内溶液とすることが可能となるので、より効果的に吐出口での内溶液の飛散を防止できる。
【００３２】
また請求項５に記載の、先筒部の両外側面と吐出カバーの両内側面の一方に形成された第１係止凸部及び他方に形成された第１係止凹部とからなり、第１係止凸部と第１係止凹部とがアンダーカット結合する第１係止部を有する構成では、一度アンダーカット結合した第１係止凸部と第１係止凹部との分離が不能となり、先筒部を覆う吐出カバーの逆方向への回動を防止して再び先筒部が露出されることがなくなるため、内溶液を流出路から変更案内路を通じて整流板へ導くことができ、内溶液の飛散を確実に防止することが可能となる。
【００３３】
また請求項６に記載の、先筒部正面の下顎部に突設された先端部と吐出カバー前面の下部との一方に形成された第２係止凸部及び他方に形成された第２係止凹部とからなり、第２係止凸部と第２係止凹部とが互いに係止し合う第２係止部とを有する構成では、第２係止部を構成する第２係止凸部と第２係止凹部とが係合することにより、ノズル筒の先端に対する吐出カバーの位置決めすることができるため、内溶液を流出路から吐出口に導く案内路の形成と整流板の形成を確実に行うことができる。
【００３４】
また請求項７に記載の、第２係止凹部が、吐出カバーの前面を貫通する貫通孔で形成されており、この貫通孔の上面に、下顎部先端で且つ第２係止凸部の上部分に面対向する漏れ防止片を形成した構成にあっては、案内路を通過する内溶液の貫通孔からの液漏れを防止することができる。
【００３５】
また請求項８に記載の、吐出カバーをノズル筒の先端に組み付けた状態において、吐出カバーの内壁天面とノズル筒の流出路天面との間に内壁天面側を上方に広げる段差を形成した構成にあっては、流出路から案内路に流出する内容液の流れを円滑とし、内容液の漏れを防止することができる。
【図面の簡単な説明】
【００３６】
【図１】本発明のノズルヘッドの第１実施例として、吐出カバーを組み付ける前の状態を示す側面図である。
【図２】図１に示すノズルヘッドの縦断面図である。
【図３】吐出カバー組み付けの後の状態を示す図１同様の側面図である。
【図４】吐出カバー組み付け後の状態を示す図２同様の縦断面図である。
【図５】図１のノズルヘッドの正面図であると共に吐出カバー組み付け前の状態を示す図である。
【図６】図３のノズルヘッドの正面図であると共に吐出カバー組み付け後の状態を示す図である。
【図７】ノズル筒の先端を拡大して示す底面図であると共に吐出カバー組み付け前の状態を示す図である。
【図８】ノズル筒の先端を拡大して示す底面図であると共に吐出カバー組み付け後の状態を示す図である。
【図９】本発明のノズルヘッドの第２実施例として、吐出カバー組み付け後の状態を示すノズルヘッド先端の縦断面図である。
【図１０】図９に示すノズル筒の先端を拡大して示す底面図である。
【図１１】本発明のノズルヘッドの第３実施例として、吐出カバーを組み付け後の状態を示すノズル筒の先端の縦断面図である。
【図１２】図１０に示すノズル筒の先端を拡大して示す底面図である。
【図１３】整流板の他の例として、ノズル筒の先端を拡大して示す底面図である。
【図１４】整流板の更なる他の例として、ノズル筒の先端を拡大して示す底面図である。
【図１５】第１実施例の変形例として、ノズルヘッドの先端を拡大して示す縦断面図である。
【図１６】第１実施例の他の変形例として、ノズルヘッドの先端を拡大して示す縦断面図である。
【発明を実施するための形態】
【００３７】
以下、本発明の実施の形態について図面を参照しつつ説明する。
図１は本発明のノズルヘッドの第１実施例として、吐出カバーを組み付ける前の状態を示す側面図、図２は図１に示すノズルヘッドの縦断面図、図３は吐出カバー組み付けの後の状態を示す図１同様の側面図、図４は吐出カバー組み付け後の状態を示す図２同様の縦断面図、図５は図１のノズルヘッドの正面図であると共に吐出カバー組み付け前の状態を示す図、図６は図３のノズルヘッドの正面図であると共に吐出カバー組み付け後の状態を示す図、図７はノズル筒の先端を拡大して示す底面図であると共に吐出カバー組み付け前の状態を示す図、図８はノズル筒の先端を拡大して示す底面図であると共に吐出カバー組み付け後の状態を示す図である。
【００３８】
本発明のノズルヘッド１は射出成形法により一体成形された合成樹脂製であり、図示しない容器内に設けられるポンプから口筒部を通じて容器の外部に延出されるステムの先端に取り付けられて使用されるものである。
【００３９】
図１及び図２等に示すように、ノズルヘッド１は、押圧ヘッド部２、連結部３及びノズル部４を有して形成されている。この実施例に示すノズル部４は、押圧ヘッド部２の側面２Ａから略水平方向に延びるノズル筒５と、このノズル筒５の先端に形成された先筒部８と、ノズル筒５の先端上部に連設されたヒンジ６と、先筒部８を覆うことが可能な吐出カバー７とを有して構成されている。
【００４０】
連結部３は押圧ヘッド部２の下面に管状に垂設されており、この連結部３の内部には垂直方向に沿って吸上路９が形成されている（図２参照）。図示することは省略するが、この連結部３には容器内に設けられたポンプから延びるステムの先端が連結されることにより、ノズルヘッド１が容器の口筒部の上部に取り付けられるようになっている。
【００４１】
ノズル筒５の内部には内溶液が流れる流出路１０が略水平方向に沿って形成され、流出路１０の一端である奥部は、押圧ヘッド部２の中心方向に延び、連結部３内の吸上路９に連通している。また流出路１０の他端は先筒部８の末端に達しており、先筒部８の正面側の端面には流出路１０の末端である開口１０ａが形成されている。
【００４２】
ノズル筒５の前方の先端に形成された先筒部８は、上部側よりも下部側が前方に突き出る略台形状をしており（図１参照）、その最下部の位置には更に前方に突出する下顎部８ａが一体に形成されている。図２に第１実施例として示すノズルヘッド１では、下顎部８ａに垂直方向に貫通する孔からなる吐出口１１が穿設されている。
【００４３】
図５に示すように、先筒部８はノズル筒５よりも狭い幅寸法で形成され、ノズル筒５の前方の端面で、且つ先筒部８の左右の外側面８Ａ，８Ａと境目となる部分には逆Ｕ字形状からなる段差部８ｂが形成されている。また両外側面８Ａ，８Ａには、第１係止部１２を構成する一方の第１係止凸部１２ａ，１２ａが突設されている。図１及び図７などに示すように、第１係止凸部１２ａの前方には後方に向かって緩やかに幅広となるテーパー部１２ａ１が形成され、続くテーパー部１２ａ１の頂部には外側面８Ａに向かって垂直に切り立つアンダーカット部１２ａ２が形成されている。また下顎部８ａの先端には、第２係止部１３を構成する凸状の第２係止凸部１３ａが突設されている。
【００４４】
図２、図４及び図５などに示すように、先筒部８の正面８Ｂには流出路１０と、流出路１０に続く変更案内路１４の一部を構成するハーフパイプ状の後方案内路１４ａとが形成されている。吐出口１１は、この後方案内路１４ａの下端に形成されており、後方案内路１４ａの下端は吐出口１１の一部を構成している。
【００４５】
そして、図２、図４及び図５などに示すように、後方案内路１４ａには、後方案内路１４ａの湾曲面の中央に垂設され、変更案内路１４を幅方向に左右二等分する整流板１６の一方を構成する薄板状の第１整流片１６ａが一体形成されている。図２に示すように、第１整流片１６ａは、その上端が流出路１０の先端である開口１０ａに達し、その下端は吐出口１１の内部に配置されている。第１整流片１６ａの径方向の長さ寸法は、後方案内路１４ａ側では変更案内路１４の直径の略１／２（半径）の寸法で形成され、吐出口１１側では吐出口１１を縦断する直径寸法で形成されている。この第１整流片１６ａは、開口１０ａ及び吐出口１１を左右の幅方向に左右二等分する。
【００４６】
図１及び図２などに示すように、吐出カバー７は、左右の一対の側面７Ａ，７Ａと、この両側面７Ａどうしを連結する湾曲状の前面７Ｂを有すると共に、後部７Ｃ及び底部７Ｄ側が開口するフード状をしている。そして、前面７Ｂの上部とノズル筒５の先端上部とがヒンジ６を介して回動自在に連結されている。
【００４７】
図２に示すように、左右の両側面７Ａの内壁である内側面７Ａ１，７Ａ１には第１係止部１２を構成する第１係止凹部１２ｂ，１２ｂがそれぞれ形成され、前面７Ｂの内壁には、変更案内路１４の一部を構成するハーフパイプ状の前方案内部１４ｂが形成されている。そして、前方案内部１４ｂの上部で且つ流出路１０の末端と近接する位置には、凹状の湾曲面７ａが形成されている（図４参照）。
【００４８】
前方案内部１４ｂの湾曲面の中央には、変更案内路１４を幅方向に左右二等分する整流板１６の他方を構成する薄板状の第２整流片１６ｂが一体に垂設されている。なお、第２整流片１６ｂの径方向の長さ寸法は、変更案内路１４の直径の１／２に相当する寸法である。
【００４９】
図４において吐出カバー７の前面７Ｂの下端となる位置には、第２係止部１３を構成する第２係止凹部１３ｂが形成されている。この第２係止凹部１３ｂは前面７Ｂの内壁に凹溝状に形成してもよいし、図２に示すように前面７Ｂを貫通する孔で形成してもよい。すなわち、本発明における第２係止凹部１３ｂは凹溝だけでなく、貫通孔をも含む概念である。
【００５０】
図１乃至図６に示すように、ヒンジ６を中心に吐出カバー７を回動させてノズル筒５の先端に組み付けると、吐出カバー７の左右の両側面７Ａ，７Ａ間に先筒部８が挿入され、先筒部８全体を覆い隠すことができる。このとき、先筒部８側の下顎部８ａの先端に形成された第２係止凸部１３ａと、吐出カバー７側の前面７Ｂ下端に形成された第２係止凹部１３ｂとが係止し合う。これにより、先筒部８に対する吐出カバー７の、特に高さ方向の位置決めが行われる。
【００５１】
同時に、図７及び図８に示すように、先筒部８側の左右の両外側面８Ａ，８Ａに形成された第１係止凸部１２ａ，１２ａが、吐出カバー７側の両内側面７Ａ１，７Ａ１に形成された第１係止凹部１２ｂ，１２ｂのテーパー部１２ａ１を相対的に乗り越えてアンダーカット部１２ａ２に対して分離不能にアンダーカット結合する。なお、吐出カバー７の後部７Ｃが、ノズル筒５の先端である逆Ｕ字形状からなる段差部８ｂに当接することで先筒部８全体が覆われることになる。
【００５２】
また図４に示すように、先筒部８側の後方案内路１４ａと吐出カバー７側の前方案内路１４ｂとが組み付けられて管状（パイプ状）の変更案内路１４が形成される。これにより、ノズル筒５側の流出路１０の末端と先筒部８の下顎部８ａに形成された吐出口１１とが連通され、吸上路９、流出路１０、変更案内路１４及び吐出口１１に続く一連の流路が完成する。
【００５３】
同時に、変更案内路１４内において、第１整流片１６ａと第２整流片１６ｂとの対向する辺同士が接して互いに組み合わされることにより整流板１６が形成される。この整流板１６は、変更案内路１４及び吐出口１１を幅方向に左右二等分する。
【００５４】
なお、ノズルヘッド１の成形にあたっては、図１及び図２に示すように、吐出カバー７を、ノズル筒５に対してヒンジ６を介して上方に略９０度回動させた状態の形状からなる成形金型と、ノズル筒５内の流出路１０を形成する流出路成形用ピンを備えるスライドコア（図示せず）とを用いる射出成形法によって一体成形される。
【００５５】
押圧ヘッド部２を押し下げると、図示しない容器から注出ポンプを介して吸い上げられた内溶液が、吸上路９→流出路１０→変更案内路１４の順に流出して吐出口１１から排出される。この排出過程においては、吐出カバー７の内壁に形成された凹状の湾曲面７ａにより、略水平な流出路１０内を通過した内溶液の方向を、適正な方向、すなわち吐出口１１が形成された下向きに向けられる。
【００５６】
そして、内溶液は、変更案内路１４に配置された整流板１６による整流作用によって整流される。すなわち、内溶液は、変更案内路１４内を左右に略均等に分流することにより、旋回流が解消されて、または左右の偏りが少なく密度的に略均一な状態となって吐出口１１から排出されるため、吐出口１１における排出時の飛散防止が可能となる。よって、内溶液が吐出口において周囲に飛散し、操作者の目に入る事故を防止することができる。
【００５７】
図９は本発明のノズルヘッドの第２実施例として、吐出カバー組み付け後の状態を示すノズルヘッド先端の縦断面図、図１０は図９に示すノズル筒の先端を拡大して示す底面図である。
【００５８】
図９及び図１０に第２実施例として示すノズルヘッドが、上記第１実施例のノズルヘッド１と異なる点は、変更案内路１４内に設けられた整流板の構造にあり、その他の点は上記第１実施例のノズルヘッド１と同様の構成である。なお、以下においては、第１実施例と同一部材については同一符号を付して説明する。
【００５９】
図９及び図１０に示すように、第２実施例として示すノズルヘッド１では、整流板１６が吐出口１１に設けられた第１整流片１６ａのみで構成されている。第１整流片１６ａは、吐出口１１を幅方向に左右二等分する一枚の薄板により構成され、吐出口１１の内側に一体に形成されている。
【００６０】
内溶液は、流出路１０から変更案内路１４を通過して吐出口１１から外部に排出されるが、排出過程の最終段階である吐出口１１に配置された整流板１６において整流作用を受けることにより、旋回流が解消された状態、または偏りが少なく密度的に略均一な状態の内溶液を排出せることができる。
【００６１】
図１１は本発明のノズルヘッドの第３実施例として、吐出カバーを組み付け後の状態を示すノズルヘッド先端の縦断面図、図１２は図１１に示すノズル筒の先端を拡大して示す底面図である。
【００６２】
図１１及び図１２に第３実施例として示すノズルヘッドが、上記第１実施例のノズルヘッド１と主な異なる点は、下顎部８ａの構造、第２係止部１３を有しない構造及び変更案内路１４内に設けられた整流板１６の構造にあり、その他の点は上記第１実施例のノズルヘッド１と同様の構成である。なお、以下においては、第１実施例と同一部材については同一符号を付して説明する。
【００６３】
図１１及び図１２に示すように、第３実施例として示すノズルヘッドでは、下顎部８ａに貫通する孔ではなく、ハーフパイプ状に湾曲形成された後方案内路１４ａが形成されている。この後方案内路１４ａは、先筒部８の正面８Ｂ及び下顎部８ａに形成された湾曲面である。また整流板１６が、ノズル筒５先端の後方案内路１４ａ側に設けられた第１整流片１６ａと吐出カバー７の前方案内路１４ｂ側に設けられた第２整流片１６ｂとで構成されている。
【００６４】
第１整流片１６ａは、後方案内路１４ａの湾曲面に、前方向に向かって垂設された薄板状の部材であり、長手方向の長さ寸法は変更案内路１４の直径の１／２寸法（半径）を有して形成されている。同様に、第２整流片１６ｂは、前方案内路１４ｂの湾曲面に、後方向に向かって垂設された薄板状の部材であり、長手方向の長さ寸法は変更案内路１４及び吐出口１１の直径の１／２寸法（半径）を有して形成されている。
【００６５】
第３実施例においても、ヒンジ６を中心に吐出カバー７を回動させてノズル筒５の先端に組み付けると、先筒部８側の後方案内路１４ａと吐出カバー７側の前方案内路１４ｂとが組み付けられて管状（パイプ状）の変更案内路１４が形成される。そして、下顎部８ａが設けられた変更案内路１４の下端が吐出口１１である。
【００６６】
同時に、変更案内路１４内に、第１整流片１６ａと第２整流片１６ｂとの対向する辺同士が接して互いに組み合わされることにより整流板１６が形成される。この整流板１６が、変更案内路１４及び吐出口１１を幅方向に左右二等分する。
【００６７】
よって、第１実施例同様に、内溶液を、変更案内路１４及び吐出口１１に設けられた整流板１６による整流作用により、旋回流が解消され、偏りも少なく密度的に略均一な状態で排出せることができる。
【００６８】
図１５は第１実施例の変形例として、ノズルヘッドの先端を拡大して示す縦断面図である。
図１５に第１実施例の変形例として示すノズルヘッド１が、第１実施例のノズルヘッド１と異なる点は、吐出カバー７の構成にあり、その他の構成は上記第１実施例のノズルヘッド１と同様である。
【００６９】
図１５に示すように、この変形例においても、第２係止部１３を構成する第２係止凹部１３ｂが前面７Ｂを貫通する貫通孔７ｂで形成されており、この貫通孔７ｂ内に、下顎部８ａの先端に突設された凸状の第２係止凸部１３ａが挿入されることで係止し合う点は上記第１実施例と同様である。
【００７０】
ただし、この変形例では、貫通孔７ｂの上面に漏れ防止片８ａ１が一体に形成されている構成である点で異なっている。
この漏れ防止片８ａ１は、吐出カバー７を回動させて先筒部８全体を覆い、先筒部８側の第２係止凸部１３ａと吐出カバー７側の第２係止凹部１３ｂとが係止し合うと、下顎部８ａ先端で且つ第２係止凸部１３ａの上部分に面対向するように設置される。これにより、変更案内路１４を通過する内溶液の貫通孔７ｂからの液漏れを防止することが可能となる。
【００７１】
図１６は第１実施例の他の変形例として、ノズルヘッドの先端を拡大して示す縦断面図であり、図１５に示す第１実施例の変形例のさらなる変形例に相当している。
図１６に第１実施例の他の変形例として示すノズルヘッド１が、図１５に示す第１実施例の変形例と異なる点は、ノズル筒５の先端と吐出カバー７とが接する部分の構成にあり、その他の構成は上記第１実施例のノズルヘッド１と同様である。
【００７２】
図１６に示す他の変形例では、吐出カバー７をノズル筒５の先端に組み付けた状態において、吐出カバー７側の案内路１４の上端をこれと対向するノズル筒５先端の流出路１０の開口端よりも上方に広げた構成としたものである。すなわち、吐出カバー７の湾曲面７ａ上部の内壁天面７ｃの高さ位置を、ノズル筒５の流出路天面１０ｂの高さ位置よりも僅かに上側となるように形成することにより、組み付け状態において内壁天面７ｃと流出路天面１０ｂとの間に内壁天面７ｃ側を上方に広げる段差１５が形成されている。
【００７３】
内壁天面７ｃと流出路天面１０ｂとを同一平面で形成する思想では、製造誤差等により内壁天面７ｃが流出路天面１０ｂよりも下方の位置に形成されてしまう場合がある。このような場合には、内容液が流出路１０から変更案内路１４に流出する際に吐出カバー７側の内壁天面７ｃの角に当たって飛散し、飛散した内容液の一部が内壁天面７ｃと流出路天面１０ｂとの連結部分に形成される隙間を介して外部に漏れる可能性がある。
【００７４】
しかしながら、図１６に第１実施例の他の変形例のように、内壁天面７ｃと流出路天面１０ｂとの間に内壁天面７ｃ側を上方に広げた段差１５を有する構成とすることにより、内容液が流出路１０から変更案内路１４に流出する際に吐出カバー７側の内壁天面７ｃの角に当たって飛散することがなくなる。よって、上流側の流出路１０から下流側の変更案内路１４に流出する内容液の流れが円滑となり、内容液の漏れを防止することが可能となる。
【００７５】
なお、第１及び第３実施例に示すノズルヘッドでは、整流板１６が変更案内路１４及び吐出口１１の双方に設けた構成であるため、吐出口１１のみに設けた第２実施例のノズルヘッドに比較し、より高い整流作用の発揮が期待できる。
【００７６】
ところで、本発明のノズルヘッドに使用される内容液としての液体口腔組成物としては、例えばアニオン界面活性剤、カチオン界面活性剤、両性界面活性剤及びノニオン界面活性剤のうち少なくとも１つ以上の界面活性剤を含有するものが好ましい。
この場合の界面活性剤の総含有量は０．０１重量％以上、５．０重量％以下が好ましく、さらには以下に述べる試験法によって測定した２５℃における粘度が０ｍＰａ・ｓ以上、５０ｍＰａ・ｓ以下であるものが好ましい。
【００７７】
粘度測定法（口腔用組成物）
３００ｍｌのトールビーカーに口腔用組成物３００ｇを量り取る。次に、２５℃恒温水槽に１時間静置後、ＢＬ型粘度計を用いて正確に１分後の粘度を測定する。
なお、粘度計は東京計器社製のＢＬ型粘度計を用い、測定条件はローターＮｏ．１、回転数６０ｒｐｍである。
【００７８】
なお、液体口腔用組成物の好適な成分及び配合量の実施例として、ノニオン界面活性剤（ポリオキシエチレン（６０）硬化ヒマシ油又はポリオキシエチレン（４０）硬化ヒマシ油）を使用した例を以下の表１〜表３に示す。
【００７９】
【表１】
0005888676.tif 000002
【００８０】
【表２】
0005888676.tif 000003
【００８１】
【表３】
0005888676.tif 000004
【００８２】
以上、実施例に沿って本発明の構成とその作用効果について説明したが、本発明の実施の形態は上記実施例に限定されるものではない。
例えば、上記各実施例では、内溶液を幅方向に左右２等分するように、内溶液の流れ方向に対して平行に配置された整流板１６を用いて説明したが、その他図１３に示すように十字状に配置した整流板１７で構成してもよいし、さらには図１４に示すように放射状に配置した整流板１８で構成したものであってもよい。
【００８３】
このような整流板１７，１８は、内溶液を４等分、さらにはそれ以上に均等に分流させることができるため、幅方向に左右２等分する整流板１６に比較し、より旋回流が解消された内溶液、またはより均一性に優れ密度の偏りの少ない内溶液とすることができる。よって、排出時の飛散防止をより効果的に達成することが可能となる。
【産業上の利用可能性】
【００８４】
本発明のノズルヘッドは、容器内に充填された口内洗浄剤（液体口腔用組成物）や消毒用アルコールなど粘性が低く固化しにくい内容液を注出するための手動押下げ注出ポンプ用のノズルヘッド分野における用途展開をさらに広い領域で図ることができる。
【符号の説明】
【００８５】
１    ；  ノズルヘッド
２    ；  押圧ヘッド部
３    ；  連結部
４    ；  ノズル部
５    ；  ノズル筒
６    ；  ヒンジ
７    ；  吐出カバー
７Ａ  ；  側面
７Ａ１；  内側面
７Ｂ  ；  前面
７Ｃ  ；  後部
７Ｄ  ；  底部
７ａ  ；  湾曲面
７ｂ  ；  貫通孔
７ｃ  ；  内壁天面
８    ；  先筒部
８Ａ  ；  外側面
８Ｂ  ；  正面
８ａ  ；  下顎部
８ａ１；  漏れ防止片
８ｂ  ；  段差部
９    ；  吸上路
１０  ；  流出路
１０ａ；  開口
１０ｂ；  流出路天面
１１  ；  吐出口
１２  ；  第１係止部
１２ａ；  第１係止凸部（第１係止部）
１２ａ１；  テーパー部
１２ａ２；  アンダーカット部
１２ｂ；  第１係止凹部（第１係止部）
１３  ；  第２係止部
１３ａ；  第２係止凸部（第２係止部）
１３ｂ；  第２係止凹部（第２係止部）
１４  ；  変更案内路
１４ａ；  後方案内路
１４ｂ；  前方案内路
１５  ；  段差
１６  ；  整流板
１６ａ；  第１整流片
１６ｂ；  第２整流片
１７，１８  ；  整流板
【図１】
0005888676.tif 000005
【図２】
0005888676.tif 000006
【図３】
0005888676.tif 000007
【図４】
0005888676.tif 000008
【図５】
0005888676.tif 000009
【図６】
0005888676.tif 000010
【図７】
0005888676.tif 000011
【図８】
0005888676.tif 000012
【図９】
0005888676.tif 000013
【図１０】
0005888676.tif 000014
【図１１】
0005888676.tif 000015
【図１２】
0005888676.tif 000016
【図１３】
0005888676.tif 000017
【図１４】
0005888676.tif 000018
【図１５】
0005888676.tif 000019
【図１６】
0005888676.tif 000020